(57)【要約】【課題】放送受信装置の受信に外部機器の影響がある場合にも快適な放送の視聴体験を提供する「放送受信装置」を提供する。【解決手段】周波数チャネル毎に、その周波数チャネルの受信に対して、外部機器がどの程度悪影響を与えるかを示す外部機器影響レベルを登録したテーブルを設ける。そして、受信チャネルの変更が発生したならば、受信チャネルとして設定されている周波数チャネルに対してテーブルに登録されている外部機器影響レベルに応じて、その周波数チャネルの受信に対して外部部機器が悪影響を与える程度が大きいほど、より受信状態が良好であるときに満たされる条件を、第１条件Ｃ１と第２条件Ｃ２として設定する。フルセグ放送受信中に第１条件Ｃ１を満たさなくなったらワンセグ放送受信に切り替え、ワンセグ放送受信中に第２条件Ｃ２を満たすようになったならばフルセグ放送受信に復帰する。【選択図】図５
2019161248.tif 000002
【特許請求の範囲】
【請求項１】
各周波数チャネルでフルセグ放送とワンセグ放送とが行われる放送方式の放送を受信する放送受信装置であって、
前記周波数チャネル毎に、その周波数チャネルの受信に対して、外部機器がどの程度悪影響を与えるかを示す外部機器影響レベルを登録したテーブルを記憶したメモリと、
受信チャネルとして設定された周波数チャネルのフルセグ放送とワンセグ放送とを選択的に受信する放送受信手段と、
受信チャネルとして設定された周波数チャネルのフルセグ放送の受信中に当該フルセグ放送の受信状態が第１の条件を満たさなくなったときに、前記放送受信手段で受信する放送を当該周波数チャネルのワンセグ放送に切り替え、当該周波数チャネルのワンセグ放送の受信中に当該ワンセグ放送の受信状態が第２の条件を満たすようになったときに、前記放送受信手段で受信する放送を当該周波数チャネルのフルセグ放送に切り替える切替制御手段と、
前記受信チャネルとして設定された周波数チャネルに対して前記テーブルに登録されている外部機器影響レベルに応じて、当該周波数チャネルの受信に対して外部部機器が悪影響を与える程度が大きいほど、より受信状態が良好である場合に満たされる条件となるように、前記第２の条件を設定する条件設定手段とを有し、
前記第２の条件を満たす最も良好でない受信状態は、前記第１の条件を満たす最も良好でない受信状態よりも良好な受信状態であることを特徴とする放送受信装置。
【請求項２】
請求項１記載の放送受信装置であって、
前記条件設定手段は、前記受信チャネルとして設定された周波数チャネルに対して前記テーブルに登録されている外部機器影響レベルに応じて、当該周波数チャネルの受信に対して外部部機器が悪影響を与える程度が大きいほど、より受信状態が良好である場合に満たされる条件となるように、前記第１の条件を設定することを特徴とする放送受信装置。
【請求項３】
アンテナを備え当該アンテナで受信チャネルとして設定された周波数チャネルの信号を受信するブランチを複数備え、当該複数のブランチを用いたダイバーシティ受信によって、各周波数チャネルでフルセグ放送とワンセグ放送とが行われる放送方式の放送の受信を行う放送受信装置であって、
前記ブランチと周波数チャネルの組み合わせ毎に、当該組み合わせ内のブランチにおける当該組み合わせ内の周波数チャネルの受信に対して、外部機器がどの程度悪影響を与えるかを示す外部機器影響レベルを登録したテーブルを記憶したメモリと、
前記複数のブランチの内の１または２以上のブランチを放送受信用ブランチに設定するブランチ設定手段とし、
受信チャネルとして設定された周波数チャネルのフルセグ放送とワンセグ放送とを、前記放送受信用ブランチを用いて選択的に受信する放送受信手段と、
受信チャネルとして設定された周波数チャネルのフルセグ放送の受信中に当該フルセグ放送の受信状態が第１の条件を満たさなくなったときに、前記放送受信手段で受信する放送を当該周波数チャネルのワンセグ放送に切り替え、当該周波数チャネルのワンセグ放送の受信中に当該ワンセグ放送の受信状態が第２の条件を満たすようになったときに、前記放送受信手段で受信する放送を当該周波数チャネルのフルセグ放送に切り替える切替制御手段と、
前記受信チャネルとして設定された周波数チャネルと前記放送受信用ブランチとの組み合わせに対して前記テーブルに登録されている外部機器影響レベルの最大値または平均が表す外部部機器が悪影響を与える程度が大きいほど、より受信状態が良好である場合に満たされる条件となるように、前記第２の条件を設定する条件設定手段とを有し、
前記第２の条件を満たす最も良好でない受信状態は、前記第１の条件を満たす最も良好でない受信状態よりも良好な受信状態であることを特徴とする放送受信装置。
【請求項４】
アンテナを備え当該アンテナで受信チャネルとして設定された周波数チャネルの信号を受信するブランチを複数備え、当該複数のブランチを用いたダイバーシティ受信によって放送の受信を行う放送受信装置であって、
前記ブランチ毎に、そのブランチにおける受信に対して、外部機器がどの程度悪影響を与えるかを示す外部機器影響レベルを登録したテーブルを記憶したメモリと、
ユーザが視聴する放送の受信と並行して一部のブランチを用いてバックグランドで行われる処理であるバックグランド処理を行うときに、前記複数のブランチの一部を放送受信用ブランチに設定し、残るブランチをバックグランド用ブランチに設定するブランチ設定手段と、
受信チャネルとして設定された周波数チャネルの放送を、前記放送受信用ブランチを用いて受信する放送受信手段と、
前記バックグランド用ブランチを用いて、前記バックグランド処理を行うバックグランド処理手段とを有し、
前記ブランチ設定手段は、各ブランチに対して前記テーブルに登録されている外部機器影響レベルに応じて、外部部機器が悪影響を与える程度が所定レベル以上大きいブランチを優先的に前記バックグランド用ブランチに割り当てることを特徴とする放送受信装置。
【請求項５】
アンテナを備え当該アンテナで受信チャネルとして設定された周波数チャネルの信号を受信するブランチを複数備え、当該複数のブランチを用いたダイバーシティ受信によって、各周波数チャネルでフルセグ放送とワンセグ放送とが行われる放送方式の放送の受信を行う放送受信装置であって、
前記ブランチと周波数チャネルの組み合わせ毎に、当該組み合わせ内のブランチにおける当該組み合わせ内の周波数チャネルの受信に対して、外部機器がどの程度悪影響を与えるかを示す外部機器影響レベルを登録したテーブルを記憶したメモリと、
ユーザが視聴する放送の受信と並行して一部のブランチを用いてバックグランドで行われる処理であるバックグランド処理を行わない場合に、前記複数のブランチの内の１または２以上のブランチを放送受信用ブランチに設定し、前記バックグランド処理を行うときに、前記複数のブランチの一部を放送受信用ブランチに設定し、残るブランチをバックグランド用ブランチに設定するブランチ設定手段と、
受信チャネルとして設定された周波数チャネルのフルセグ放送とワンセグ放送とを、前記放送受信用ブランチを用いて選択的に受信する放送受信手段と、
前記バックグランド用ブランチを用いて、前記バックグランド処理を行うバックグランド処理手段と、
受信チャネルとして設定された周波数チャネルのフルセグ放送の受信中に当該フルセグ放送の受信状態が第１の条件を満たさなくなったときに、前記放送受信手段で受信する放送を当該周波数チャネルのワンセグ放送に切り替え、当該周波数チャネルのワンセグ放送の受信中に当該ワンセグ放送の受信状態が第２の条件を満たすようになったときに、前記放送受信手段で受信する放送を当該周波数チャネルのフルセグ放送に切り替える切替制御手段と、
前記受信チャネルとして設定された周波数チャネルと前記放送受信用ブランチとの組み合わせに対して前記テーブルに登録されている外部機器影響レベルの最大値または平均が表す外部部機器が悪影響を与える程度が大きいほど、より受信状態が良好である場合に満たされる条件となるように、前記第２の条件を設定する条件設定手段とを有し、
前記ブランチ設定手段は、前記複数のブランチの内のブランチであって、当該ブランチを含む組み合わせに対して前記テーブルに登録されている外部機器影響レベルの最大値または平均が表す外部部機器が悪影響を与える程度が所定レベル以上大きいブランチを優先的に前記バックグランド用ブランチに割り当て、
前記第２の条件を満たす最も良好でない受信状態は、前記第１の条件を満たす最も良好でない受信状態よりも良好な受信状態であることを特徴とする放送受信装置。
【請求項６】
請求項３または５記載の放送受信装置であって、
前記条件設定手段は、前記受信チャネルとして設定された周波数チャネルと前記放送受信用ブランチとの組み合わせに対して前記テーブルに登録されている外部機器影響レベルの最大値または平均が表す外部部機器が悪影響を与える程度が大きいほど、より受信状態が良好である場合に満たされる条件となるように、前記第１の条件を設定することを特徴とする放送受信装置。
【請求項７】
請求項１、２、３、４、５または６記載の放送受信装置であって、
当該放送受信装置は、自動車に搭載される放送受信装置であって、
前記各ブランチのアンテナは前記自動車のウインドウシールド上に配置され、
前記外部機器は、前記アンテナの近くに配置された外部機器であることを特徴とする放送受信装置。
【請求項８】
請求項１、２、３、４、５、６または７記載の放送受信装置であって、
当該放送受信装置は前記放送として地上デジタルテレビ放送を受信することを特徴とする放送受信装置。
【発明の詳細な説明】
【技術分野】
【０００１】
本発明は、放送を受信する放送受信装置に関するものである。
【背景技術】
【０００２】
放送受信装置としては、アンテナとアンテナで捕捉された電波から受信信号を取得する受信回路と受信信号を復調する復調回路とよりなるブランチを複数備え、各ブランチの復調回路から出力される各復調信号を合成するダイバーシティ受信を行う放送受信装置において、一部のブランチを用いて放送のダイバーシティ受信を行いつつ、残りブランチを他の放送の番組情報の取得などのバックグランド処理に用いる技術が知られている（たとえば、特許文献１）。
【０００３】
また、放送受信装置に関する技術としては、一つの周波数チャネルでフルセグ放送とワンセグ放送が行われる地上デジタルテレビ放送を受信する放送受信装置において、周波数チャネルの受信状態のよいときはフルセグ放送を受信し、周波数チャネルの受信状態の悪いときにはワンセグ放送を受信する技術も知られている（たとえば、特許文献２）。
【先行技術文献】
【特許文献】
【０００４】
【特許文献１】特開２００９-１０００５８号公報
【特許文献２】"-号公報
【発明の概要】
【発明が解決しようとする課題】
【０００５】
ダイバーシティ受信を行う複数のアンテナを備えた放送受信装置が搭載された自動車に、ドライブレコーダや車両安全システム用の前方監視装置などの外部機器が搭載される場合がある。
【０００６】
また、このような外部機器の設置位置によっては、外部機器から輻射されるノイズが、一つまたは複数のアンテナにおける一部の周波数帯域内の放送の受信の障害となることがあり、この場合、放送波の電界強度やマルチパス環境などの、自動車の位置や向きなどより変化する要因との関係によらず、定常的に受信状態が悪くなるブランチと周波数チャネルの組み合わせが発生する。
【０００７】
そして、このような外部機器による定常的な影響を考慮しない受信動作を放送受信装置において行うと、ユーザに充分に快適な放送の視聴体験を提供することができなくなることがある。
【０００８】
そこで、本発明は、ダイバーシティ受信を行う複数のアンテナを備えた放送受信装置において、放送受信装置の受信に外部機器の影響がある場合にも、より快適な放送の視聴体験をユーザに提供することを課題とする
【課題を解決するための手段】
【０００９】
前記課題達成のために、本発明は、各周波数チャネルでフルセグ放送とワンセグ放送とが行われる放送方式の放送を受信する放送受信装置に、前記周波数チャネル毎に、その周波数チャネルの受信に対して、外部機器がどの程度悪影響を与えるかを示す外部機器影響レベルを登録したテーブルを記憶したメモリと、受信チャネルとして設定された周波数チャネルのフルセグ放送とワンセグ放送とを選択的に受信する放送受信手段と、受信チャネルとして設定された周波数チャネルのフルセグ放送の受信中に当該フルセグ放送の受信状態が第１の条件を満たさなくなったときに、前記放送受信手段で受信する放送を当該周波数チャネルのワンセグ放送に切り替え、当該周波数チャネルのワンセグ放送の受信中に当該ワンセグ放送の受信状態が第２の条件を満たすようになったときに、前記放送受信手段で受信する放送を当該周波数チャネルのフルセグ放送に切り替える切替制御手段と、前記受信チャネルとして設定された周波数チャネルに対して前記テーブルに登録されている外部機器影響レベルに応じて、当該周波数チャネルの受信に対して外部部機器が悪影響を与える程度が大きいほど、より受信状態が良好である場合に満たされる条件となるように、前記第２の条件を設定する条件設定手段とを設けたものである。ただし、前記第２の条件を満たす最も良好でない受信状態は、前記第１の条件を満たす最も良好でない受信状態よりも良好な受信状態とする。
【００１０】
ここで、このような放送受信装置は、前記条件設定手段において、前記受信チャネルとして設定された周波数チャネルに対して前記テーブルに登録されている外部機器影響レベルに応じて、当該周波数チャネルの受信に対して外部部機器が悪影響を与える程度が大きいほど、より受信状態が良好である場合に満たされる条件となるように、前記第１の条件を設定するように構成してもよい。
【００１１】
また、前記課題達成のために、本発明は、アンテナを備え当該アンテナで受信チャネルとして設定された周波数チャネルの信号を受信するブランチを複数備え、当該複数のブランチを用いたダイバーシティ受信によって、各周波数チャネルでフルセグ放送とワンセグ放送とが行われる放送方式の放送の受信を行う放送受信装置に、前記ブランチと周波数チャネルの組み合わせ毎に、当該組み合わせ内のブランチにおける当該組み合わせ内の周波数チャネルの受信に対して、外部機器がどの程度悪影響を与えるかを示す外部機器影響レベルを登録したテーブルを記憶したメモリと、前記複数のブランチの内の１または２以上のブランチを放送受信用ブランチに設定するブランチ設定手段と、受信チャネルとして設定された周波数チャネルのフルセグ放送とワンセグ放送とを、前記放送受信用ブランチを用いて選択的に受信する放送受信手段と、受信チャネルとして設定された周波数チャネルのフルセグ放送の受信中に当該フルセグ放送の受信状態が第１の条件を満たさなくなったときに、前記放送受信手段で受信する放送を当該周波数チャネルのワンセグ放送に切り替え、当該周波数チャネルのワンセグ放送の受信中に当該ワンセグ放送の受信状態が第２の条件を満たすようになったときに、前記放送受信手段で受信する放送を当該周波数チャネルのフルセグ放送に切り替える切替制御手段と、前記受信チャネルとして設定された周波数チャネルと前記放送受信用ブランチとの組み合わせに対して前記テーブルに登録されている外部機器影響レベルの最大値または平均が表す外部部機器が悪影響を与える程度が大きいほど、より受信状態が良好である場合に満たされる条件となるように、前記第２の条件を設定する条件設定手段とを設けたものである。また、前記第２の条件を満たす最も良好でない受信状態は、前記第１の条件を満たす最も良好でない受信状態よりも良好な受信状態とする。
【００１２】
ここで、このような放送受信装置は、前記条件設定手段において、前記受信チャネルとして設定された周波数チャネルと前記放送受信用ブランチとの組み合わせに対して前記テーブルに登録されている外部機器影響レベルの最大値または平均が表す外部部機器が悪影響を与える程度が大きいほど、より受信状態が良好である場合に満たされる条件となるように、前記第１の条件を設定するように構成してもよい。
【００１３】
以上のような放送受信装置によれば、ユーザが視聴している放送の周波数チャネルが外部機器の影響の大きい周波数チャネルである場合には、受信する放送のワンセグ放送からフルセグ放送への切替の条件となる第２の条件として、そうでない場合よりも、より受信状態が良好でなけれが満たされない条件が設定される。
【００１４】
よって、ユーザが視聴している放送の周波数チャネルが外部機器の影響の大きい周波数チャネルでない場合に、より放送コンテンツの品質の高いフルセグ放送をできるだけ視聴可能としつつ、ユーザが視聴している放送の周波数チャネルが外部機器の影響の大きい周波数チャネルとなった場合に、外部機器からのノイズの影響による比較的大きな変動によって、受信する放送がフルセグ放送とワンセグ放送との間で頻繁に切り替わってしまうことを抑制することができ、これにより、ユーザの放送の視聴体験の快適性を向上することができる。
【００１５】
また、本発明は、前記課題達成のために、アンテナを備え当該アンテナで受信チャネルとして設定された周波数チャネルの信号を受信するブランチを複数備え、当該複数のブランチを用いたダイバーシティ受信によって放送の受信を行う放送受信装置に、前記ブランチ毎に、そのブランチにおける受信に対して、外部機器がどの程度悪影響を与えるかを示す外部機器影響レベルを登録したテーブルを記憶したメモリと、ユーザが視聴する放送の受信と並行して一部のブランチを用いてバックグランドで行われる処理であるバックグランド処理を行うときに、前記複数のブランチの一部を放送受信用ブランチに設定し、残るブランチをバックグランド用ブランチに設定するブランチ設定手段と、受信チャネルとして設定された周波数チャネルの放送を、前記放送受信用ブランチを用いて受信する放送受信手段と、前記バックグランド用ブランチを用いて、前記バックグランド処理を行うバックグランド処理手段とを備えたものである。ここで、前記ブランチ設定手段は、各ブランチに対して前記テーブルに登録されている外部機器影響レベルに応じて、外部部機器が悪影響を与える程度が所定レベル以上大きいブランチを優先的に前記バックグランド用ブランチに割り当てる。
【００１６】
また、本発明は、前記課題達成のために、アンテナを備え当該アンテナで受信チャネルとして設定された周波数チャネルの信号を受信するブランチを複数備え、当該複数のブランチを用いたダイバーシティ受信によって、各周波数チャネルでフルセグ放送とワンセグ放送とが行われる放送方式の放送の受信を行う放送受信装置に、前記ブランチと周波数チャネルの組み合わせ毎に、当該組み合わせ内のブランチにおける当該組み合わせ内の周波数チャネルの受信に対して、外部機器がどの程度悪影響を与えるかを示す外部機器影響レベルを登録したテーブルを記憶したメモリと、ユーザが視聴する放送の受信と並行して一部のブランチを用いてバックグランドで行われる処理であるバックグランド処理を行わない場合に、前記複数のブランチの内の１または２以上のブランチを放送受信用ブランチに設定し、前記バックグランド処理を行うときに、前記複数のブランチの一部を放送受信用ブランチに設定し、残るブランチをバックグランド用ブランチに設定するブランチ設定手段と、受信チャネルとして設定された周波数チャネルのフルセグ放送とワンセグ放送とを、前記放送受信用ブランチを用いて選択的に受信する放送受信手段と、前記バックグランド用ブランチを用いて、前記バックグランド処理を行うバックグランド処理手段と、受信チャネルとして設定された周波数チャネルのフルセグ放送の受信中に当該フルセグ放送の受信状態が第１の条件を満たさなくなったときに、前記放送受信手段で受信する放送を当該周波数チャネルのワンセグ放送に切り替え、当該周波数チャネルのワンセグ放送の受信中に当該ワンセグ放送の受信状態が第２の条件を満たすようになったときに、前記放送受信手段で受信する放送を当該周波数チャネルのフルセグ放送に切り替える切替制御手段と、前記受信チャネルとして設定された周波数チャネルと前記放送受信用ブランチとの組み合わせに対して前記テーブルに登録されている外部機器影響レベルの最大値または平均が表す外部部機器が悪影響を与える程度が大きいほど、より受信状態が良好である場合に満たされる条件となるように、前記第２の条件を設定する条件設定手段とを備えたものである。ここで、前記ブランチ設定手段は、前記複数のブランチの内のブランチであって、当該ブランチを含む組み合わせに対して前記テーブルに登録されている外部機器影響レベルの最大値または平均が表す外部部機器が悪影響を与える程度が所定レベル以上大きいブランチを優先的に前記バックグランド用ブランチに割り当てる。また、前記第２の条件を満たす最も良好でない受信状態は、前記第１の条件を満たす最も良好でない受信状態よりも良好な受信状態とする。
【００１７】
ここで、このような放送受信装置は、前記条件設定手段において、前記受信チャネルとして設定された周波数チャネルと前記放送受信用ブランチとの組み合わせに対して前記テーブルに登録されている外部機器影響レベルの最大値または平均が表す外部部機器が悪影響を与える程度が大きいほど、より受信状態が良好である場合に満たされる条件となるように、前記第１の条件を設定するように構成してもよい。
【００１８】
これらの放送受信装置によれば、外部部機器が悪影響を与える程度が大きくないブランチを用いて視聴する放送の受信を行うことができるので、ユーザが視聴している放送の周波数チャネルが外部機器の影響の大きい周波数チャネルとなった場合でも、バックグランド処理を行いつつ、視聴する放送の受信状態が外部機器に影響によって大きく劣化することを抑止して、ユーザの放送の視聴体験の快適性を向上することができる。
【００１９】
ここで、以上の放送受信装置は、自動車に搭載される放送受信装置であってよく、この場合、前記各ブランチのアンテナは前記自動車のウインドウシールド上に配置され、前記外部機器は、前記アンテナの近くに配置された外部機器であってよい。
【００２０】
また、以上の放送受信装置は前記放送として地上デジタルテレビ放送を受信するものであってよい。
【発明の効果】
【００２１】
以上のように、本発明によればダイバーシティ受信を行う複数のアンテナを備えた放送受信装置において、放送受信装置の受信に外部機器の影響がある場合にも、より快適な放送の視聴体験をユーザに提供することができる。
【図面の簡単な説明】
【００２２】
【図１】本発明の実施形態に係る放送受信装置の構成を示すブロック図である。
【図２】本発明の実施形態に係る放送受信装置のアンテナと外部機器の配置例を示す図である。
【図３】本発明の実施形態に係る外部機器影響レベルテーブルを示す図である。
【図４】本発明の実施形態に係る受信セグメントモード切替処理を示すフローチャートである。
【図５】本発明の実施形態に係る受信セグメントモード切替処理の処理例を示す図である。
【図６】本発明の実施形態に係る処理モード切替処理を示すフローチャートである。
【図７】本発明の実施形態に係る処理モード切替処理の処理例を示す図である。
【発明を実施するための形態】
【００２３】
以下、本発明の実施形態について、自動車に搭載された、地上デジタルテレビ放送を受信する放送受信装置への適用を例にとり説明する。
図１に、本実施形態に係る放送受信装置の構成を示す。
図示するように放送受信装置は、ＢＲ１、ＢＲ２、ＢＲ３、ＢＲ４の４つのブランチ１、セレクタ２、第１合成器３、第２合成器４、ＡＶデコーダ５、バックグランド処理部６、出力合成部７、表示装置８、スピーカ９、入力装置１０、メモリ１１、制御部１２を備えている。
【００２４】
また、各ブランチ１は、アンテナ１０１、チューナ１０２、復調器１０３を備えている。
このような構成において、各ブランチ１のチューナ１０２は受信セグメントモードとしてフルセグ受信モードとワンセグ受信モードを備えており、フルセグ受信モードが設定されているときには、制御部１２から受信チャネルとして設定された周波数チャネル内の１３セグメントのうちのフルセグ放送が行われている１２セグメントの受信信号をアンテナ１０１で捕捉した電波から生成して復調器１０３に出力し、ワンセグ受信モードが設定されているときには、制御部１２から受信チャネルとして設定された周波数チャネル内の１３セグメントのうちのワンセグ放送が行われている１セグメントの受信信号をアンテナ１０１で捕捉した電波から生成して復調器１０３に出力する。
【００２５】
そして、各ブランチ１の復調器１０３はチューナ１０２から出力された受信信号を復調し復調信号としてセレクタ２に出力する。
また、復調器１０３は、チューナ１０２が出力した受信信号のCNR（Carrier to Noise ratio)を算出し制御部１２と、第１合成器３、第２合成器４に通知する。
セレクタ２は、制御部１２の制御に従って、４つのブランチ１から出力された４つの復調信号のうちの最大４つの復調信号を第１合成器３に出力すると共に、制御部１２に制御に従って、４つのブランチ１から出力された４つの復調信号のうちの最大３つの復調信号を第２合成器４に出力する。
【００２６】
第１合成器３は、セレクタ２から入力した各復調信号を、最大比合成方式で合成し、ＡＶデコーダ５に出力し、第２合成器４はセレクタ２から入力した各復調信号を最大比合成方式で合成し、バックグランド処理部６に出力する。
【００２７】
また、第１合成器３は当該第１合成器３で合成後のＣＮＲを制御部１２に通知し、第２合成器４は当該第２合成器４で合成後のＣＮＲを制御部１２に通知する。
ＡＶデコーダ５は、第１合成器３で合成された復調信号からビデオとオーディオをデコードし出力合成部７に出力する。また、ＡＶデコーダ５は、復調信号をデコードしたデータのＢＥＲ(Bit Error Rate)を算定し、制御部１２に通知する。
【００２８】
バックグランド処理部６は制御部１２の制御に従って第２合成器４で合成された復調信号を用いて、各周波数チャネルからの番組情報の取得や、視聴中の周波数チャネルと同じ放送を行っている周波数チャネルを探索する中継局サーチといったバックグランド処理を行い、バックグランド処理の結果を制御部１２に通知する。
【００２９】
出力合成部７は、ＡＶデコーダ５から出力されたビデオを表示装置８に表示し、ＡＶデコーダ５から出力されたオーディオをスピーカ９に出力する。また、出力合成部７は、制御部１２の制御に従って、ＡＶデコーダ５から出力されたビデオに制御部１２から出力される画像を合成して表示装置８に表示したり、ＡＶデコーダ５から出力されたオーディオに制御部１２から出力される音声を合成してスピーカ９に出力したり、制御部１２から出力される画像のみを表示装置８に表示したり、制御部１２から出力される音声のみをスピーカ９に出力したりすることもできる。
【００３０】
そして、このような構成において、制御部１２は、処理モードとして、通常モードとバックグランドモードを備えており、バックグランド処理部６にバックグランド処理を行わせる期間中、処理モードを通常モードからバックグランドモードに切り替える。
【００３１】
なお、バックグランド処理部６にバックグランド処理を行わせる期間は、バックグランド処理が番組情報の取得であれば、たとえば、所定時刻の到来からバックグランド処理部６における番組情報の取得の完了までの期間であり、バックグランド処理が中継極サーチであれば、たとえば、視聴している放送の受信状態の劣化の発生時からバックグランド処理部６における中継極の探索完了までの期間である。なお、視聴している放送の受信状態の劣化は、ＡＶデコーダ５が出力するＢＥＲや第１合成器３が出力するＣＮＲから判定することができる。
【００３２】
そして、制御部１２は、通常モードを設定したときには、後述する処理モード切替処理によって、４つのブランチ１の一部または全部を、放送受信用ブランチに設定し、放送受信用ブランチの出力する復調信号を第１合成器３に出力するようセレクタ２を制御する。
【００３３】
そして、制御部１２は、通常モードを設定している期間中、入力装置１０の操作等によってユーザから視聴を指定された放送の周波数チャネルを受信チャネルとして、放送受信用ブランチに設定した各ブランチ１のチューナ１０２に設定することにより、視聴を指定された放送のビデオとオーディオを表示装置８とスピーカ９に出力する。
【００３４】
また、制御部１２は、バックグランドモードを設定したときには、後述する処理モード切替処理によって、４つのブランチ１のうちの一部のブランチ１を放送受信用ブランチに設定し、残りのブランチ１をバックグランド処理用ブランチに設定し、放送受信用ブランチの出力する復調信号を第１合成器３に出力し、バックグランド処理用ブランチの出力する復調信号を第２合成器４に出力するようにセレクタ２を制御する。
【００３５】
そして、制御部１２は、バックグランドモードを設定している期間中、入力装置１０の操作等によってユーザから視聴を指定された放送の周波数チャネルを受信チャネルとして、放送受信用ブランチに設定した各ブランチ１のチューナ１０２に設定することにより、視聴を指定された放送のビデオとオーディオを表示装置８とスピーカ９に出力する。また、制御部１２は、バックグランドモードを設定している期間中、バックグランド処理において受信する必要のある周波数チャネルを受信チャネルとして、バックグランド処理用ブランチに設定した各ブランチ１のチューナ１０２に設定し、バックグランド処理部６に、当該バックグランドモードを設定している期間中に行うべきバックグランド処理を行わせる。
【００３６】
ここで、図２に示すように、４つのブランチ１のアンテナ１０１は、自動車のフロントウインドシールドの周縁の異なる位置に貼り付け等によって固定設置される。
さて、自動車には、放送受信装置の他に、ドライブレコーダや車両安全システム用の前方監視装置などの外部機器が搭載される場合がある。
また、このような外部機器は、図２に、外部機器がドライブレコーダ２００である場合について示したように、外部機器がいずれかのアンテナ１０１に近い位置に配置されることもある。
【００３７】
そして、このような外部機器の、外部機器から輻射されるノイズが、一つまたは複数のアンテナ１０１における一部の周波数帯域内の周波数チャネルの受信の障害となることがある。
【００３８】
次に、図３に、本実施形態においてメモリ１１に格納する外部機器影響レベルテーブルを示す。
図示するように、外部機器影響レベルテーブルは、ブランチ１と周波数チャネルの組み合わせ毎に外部機器影響レベルを登録したテーブルである。
各組み合わせに対して登録されている外部機器影響レベルは、その組み合わせ中のブランチ１の、その組み合わせ中の周波数チャネルの受信に対して、外部機器がどの程度悪影響を与えるかを示す値であり、値が大きいほど悪影響を与える程度が大きいことを表す。
【００３９】
ここで、各組み合わせに対する外部機器影響レベルの外部機器影響レベルテーブルへの登録は、ブランチ１の復調器１０３が検出したＣＮＲを、そのブランチ１の、当該ブランチ１のチューナ１０２が受信している周波数チャネルのＣＮＲと呼ぶこととして、たとえば、次のように行う。
【００４０】
すなわち、予め各ブランチ１と各周波数チャネルの組み合わせの各々について、、その組み合わせ中のブランチ１の、その組み合わせ中の周波数チャネルの、外部機器をオン状態としたときのＣＮＲ(Carrier to Noise ratio)と、外部機器をオフ状態としたときのＣＮＲとを測定し、測定した各ＣＮＲを解析して、外部機器がその組み合わせに対する悪影響の程度を算定し、算定した悪影響の程度を、外部機器影響レベルとして、外部機器影響レベルテーブルの、その組み合わせに対して登録する。ここで、この場合には、外部機器影響レベルとしては、たとえば、外部機器をオフ状態としたときのＣＮＲ(Carrier to Noise ratio)の、外部機器をオン状態としたときのＣＮＲ(Carrier to Noise ratio)に対する差や比などを用いることができる。または、外部機器影響レベルとしては、その組み合わせ中のブランチ１の、その組み合わせ中の周波数チャネルの、外部機器をオン状態としたときのＣＮＲ(Carrier to Noise ratio)と、外部機器をオフ状態としたときのＣＮＲ(Carrier to Noise ratio)との全体の集合中における、ＣＮＲの変動係数（ＣＮＲの標準偏差／ＣＮＲの平均）を用いることもできる。
【００４１】
以下、制御部１２が上述したチューナ１０２の受信セグメントモードを設定するために行う受信セグメントモード切替処理について説明する。
図４に、この受信セグメントモード切替処理の手順を示す。
図示するように、制御部１２は、受信セグメントモード切替処理において、放送受信用ブランチの受信チャネルの変更を監視し（ステップ４０２）、受信チャネルの変更が発生したならば、各放送受信用ブランチのチューナ１０２に受信セグメントモードとしてフルセグ受信モードを設定する（ステップ４０４）。なお、制御部１２は、放送受信装置の起動時に、放送受信用ブランチに、前回設定していた受信チャネルを設定する。そして、この起動時の当該受信チャネルの設定も、ステップ４０２において、放送受信用ブランチに設定する受信チャネルの変更として検出する。
【００４２】
そして、次に、放送受信用ブランチに受信チャネルとして設定されている周波数チャネルと放送受信用ブランチとして設定されているブランチ１の組み合わせに対して外部機器影響レベルテーブルに登録されている外部機器影響レベルに応じて、受信状態の良好度に関する条件である第１条件Ｃ１と第２条件Ｃ２を設定する（ステップ４０６）。
【００４３】
第１条件Ｃ１と第２条件Ｃ２は、期間ＴとＢＥＲのしきい値Ｔｈを規定しており、各々、受信状態が、期間Ｔ中のＢＥＲの最大値がしきい値Ｔｈ以下となる状態である場合に満たされる条件である。なお、ＢＥＲは、ＡＶデコーダ５によって、所定のデータブロック毎、すなわち、所定の時間間隔で算定される。
【００４４】
すなわち、たとえば、期間ＴａとＢＥＲのしきい値Ｔｈａを規定している第１条件は、受信状態が、ＡＶデコーダ５から通知されるＢＥＲの期間Ｔａ中の最大値がしきい値Ｔｈａ以下となる状態である場合に満たされ、そうでない場合に満たされない。また、同様に、期間ＴｂとＢＥＲのしきい値Ｔｈｂを規定している第２条件は、受信状態が、ＡＶデコーダ５から通知される期間Ｔｂ中のＢＥＲの最大値がしきい値Ｔｈｂ以下となる状態である場合に満たされ、そうでない場合に満たされない。
【００４５】
ここで、このような第１条件Ｃ１と第２条件Ｃ２は、より長い期間Ｔを規定しているほどより、受信状態が良好でなければ満たされない条件となり、より小さいしきい値Ｔｈを規定しているほど、より受信状態が良好でなければ満たされない条件となる。
【００４６】
すなわち、ステップ４０６では、放送受信用ブランチに受信チャネルとして設定されている周波数チャネルと放送受信用ブランチに設定されている各ブランチ１との組み合わせの各々に対して、外部機器影響レベルテーブルに登録されている外部機器影響レベルの最大値が大きいほど、より受信状態が良好でなければ満たされない条件を、第１条件Ｃ１と第２条件Ｃ２として設定する。すなわち、外部機器影響レベルの最大値が大きいほど、第１条件Ｃ１が規定する受信状態の条件をより厳しくし、第２条件Ｃ２が規定する受信状態の条件をより厳しくする。
【００４７】
または、ステップ４０６では、放送受信用ブランチに受信チャネルとして設定されている周波数チャネルと放送受信用ブランチに設定されている各ブランチ１との組み合わせの各々に対して外部機器影響レベルテーブルに登録されている外部機器影響レベルの平均が大きいほど、より受信状態が良好でなければ満たされない条件を、第１条件Ｃ１と第２条件Ｃ２として設定する。
【００４８】
なお、第１条件Ｃ１は、第１条件Ｃ１を満たす受信状態が、少なくともフルセグ放送を正常に受信可能な最悪の受信状態と見込まれる受信状態よりも良好な受信状態となるように設定し、第２条件Ｃ２は、第２条件Ｃ２を満たす最悪の受信状態が、第１条件Ｃ１を満たす最悪の受信状態よりも良好な受信状態となるように設定する。
【００４９】
そして、以降は、ＡＶデコーダ５から通知されるＢＥＲを取得しながら（ステップ４０８）、第１条件を満たさない受信状態の発生（ステップ４１０）と、放送受信用ブランチの受信チャネルの変更の発生（ステップ４１２）とを監視する。
【００５０】
そして、放送受信用ブランチの受信チャネルの変更が発生したならば（ステップ４１２）、ステップ４０６からの処理に戻り、変更後の受信チャネルに応じて第１条件Ｃ１と第２条件Ｃ２を更新する。
【００５１】
一方、第１条件を満たさない受信状態が発生したならば（ステップ４１０）、各放送受信用ブランチのチューナ１０２の受信セグメントモードをワンセグ受信モードに切り替える（ステップ４１４）。
【００５２】
そして、以降は、ＡＶデコーダ５から通知されるＢＥＲを取得しながら（ステップ４１６）、第２条件を満たす受信状態の発生（ステップ４１８）と、放送受信用ブランチの受信チャネルの変更の発生（ステップ４２０）とを監視する。
【００５３】
そして、第２条件を満たす受信状態が発生したならば（ステップ４１８）、各放送受信用ブランチのチューナ１０２の受信セグメントモードをフルセグ受信モードに復帰し（ステップ４２２）、ステップ４０８からの処理に戻る。
【００５４】
また、放送受信用ブランチの受信チャネルの変更（ステップ４２０）が発生したならば、ステップ４０４からの処理に戻って、各放送受信用ブランチのチューナ１０２の受信セグメントモードをフルセグ受信モードに復帰し、変更後の受信チャネルに応じて第１条件Ｃ１と第２条件Ｃ２を更新する（ステップ４０６）。
【００５５】
以上、制御部１２が行う受信セグメントモード切替処理について説明した。
このような受信セグメントモード切替処理によれば、ユーザが視聴している放送の周波数チャネルが外部機器の影響の大きくない周波数チャネルである場合には第１条件Ｃ１と第２条件Ｃ２は、図５ａのように設定され、ユーザが視聴している放送の周波数チャネルが外部機器の影響の大きい周波数チャネルである場合には第１条件Ｃ１と第２条件Ｃ２は図５ｂのように、図５ａの場合よりも、より受信状態が良好である場合に満たされる条件に設定される。
【００５６】
すなわち、ユーザが視聴している放送の周波数チャネルが外部機器の影響の大きい周波数チャネルである場合には、受信する放送のワンセグ放送からフルセグ放送への切替の条件となる第２条件Ｃ２として、そうでない場合よりも、より受信状態が良好である場合に満たされる条件が設定される。
【００５７】
よって、ユーザが視聴している放送の周波数チャネルが外部機器の影響の大きい周波数チャネルでない場合に、より放送コンテンツの品質の高いフルセグ放送をできるだけ視聴可能としつつ、ユーザが視聴している放送の周波数チャネルが外部機器の影響の大きい周波数チャネルとなった場合に、当該周波数チャネルの受信状態の外部機器からのノイズの影響による図５ｂの５０１に示すような受信状態の変動によって、受信する放送がフルセグ放送とワンセグ放送との間で頻繁に切り替わってしまうことを抑制することができ、これにより、ユーザの放送の視聴体験の快適性を向上することができる。
【００５８】
また、ユーザが視聴している放送の周波数チャネルが外部機器の影響の大きい周波数チャネルである場合には、受信する放送のフルセグ放送からワンセグ放送への切替の条件となる第１条件Ｃ１として、そうでない場合よりも、より受信状態が良好である場合にのみ満たされる条件が設定される。
【００５９】
よって、ユーザが視聴している放送の周波数チャネルが外部機器の影響の大きい周波数チャネルである場合に、外部機器の影響によって放送コンテンツの再生にエラーが継続的に生じている状態で、フルセグ放送の受信を継続してしまうことを抑制することができる。
【００６０】
次に、上述のように制御部１２が行う処理モード切替処理について説明する。
図６に、この処理モード切替処理の手順を示す。
図示するように、制御部１２は処理モード切替処理において、処理モードの通常モードへの切替が発生したならば（ステップ６０２）、外部機器影響レベルテーブルに登録されている外部機器影響レベルが所定レベル以上大きいブランチ１を除く各ブランチ１を放送受信用ブランチに設定する（ステップ６０４）。
【００６１】
ここで、ステップ６０４では、各ブランチ１について求めた、当該ブランチ１を含む組み合わせに対して外部機器影響レベルテーブルに登録されている外部機器影響レベルの最大値が所定のしきい値を超えるブランチ１を外部機器影響レベルが所定レベル以上大きいブランチ１とする。
【００６２】
ただし、ステップ６０４では、各ブランチ１について求めた、当該ブランチ１とを含む組み合わせに対して外部機器影響レベルテーブルに登録されている外部機器影響レベルの最大値が下位の所定数のブランチ１は、外部機器影響レベルが所定レベル以上大きいブランチ１としないようにする。
【００６３】
または、ステップ６０４では、ブランチ１について求めた、当該ブランチ１を含む組み合わせに対して外部機器影響レベルテーブルに登録されている外部機器影響レベルの平均が所定のしきい値を超えるブランチ１を外部機器影響レベルが所定レベル以上大きいブランチ１とする。ただし、この場合には、各ブランチ１について求めた、当該ブランチ１とを含む組み合わせに対して外部機器影響レベルテーブルに登録されている外部機器影響レベルの平均が下位の所定数のブランチ１は、外部機器影響レベルが所定レベル以上大きいブランチ１としないようにする。
【００６４】
そして、放送受信用ブランチの出力する復調信号を第１合成器３に出力するようセレクタ２を設定する（ステップ６０６）。
一方、制御部１２は、処理モードのバックグランドモードへの切替が発生したならば（ステップ６０８）、外部機器影響レベルが上位のブランチ１をバックグランド処理用ブランチに設定し、残るブランチ１を放送受信用ブランチに設定する（ステップ６１０）。
【００６５】
すなわち、ステップ６１０では、各ブランチ１について求めた、当該ブランチ１を含む組み合わせに対して外部機器影響レベルテーブルに登録されている外部機器影響レベルの最大値の大きい順に１番目からｎ（但し、ｎは１以上３以下）番目までのブランチ１をバックグランド処理用ブランチに設定し、残りのブランチ１を放送受信用ブランチに設定する。
【００６６】
なお、この場合において、ｎの値は、予め定めておくようにしてもよい。
または、ｎの値は、バックグランド処理用ブランチに設定されるブランチ１の上記最大値が所定の値以上となる値としてもよい。ただし、この場合には、上記最大値が所定の値以上となるブランチ１が存在しない場合には、上記最大値が上位の所定数のブランチ１をバックグランド処理用ブランチに設定し、残りのブランチ１を放送受信用ブランチに設定するようにする。
【００６７】
または、ステップ６１０では、各ブランチ１について求めた、当該ブランチ１を含む組み合わせに対して外部機器影響レベルテーブルに登録されている外部機器影響レベルの平均の大きい順に１番目からｎ（但し、ｎは１以上３以下）番目までのブランチ１をバックグランド処理用ブランチに設定し、残りのブランチ１を放送受信用ブランチに設定するようにしてもよい。
【００６８】
なお、この場合においても、ｎの値は、予め定めておくようにしてもよい。
また、この場合においても、ｎの値は、バックグランド処理用ブランチに設定されるブランチ１の上記平均が所定の値以上となる値としてもよい。ただし、この場合には、上記平均が所定の値以上となるブランチ１が存在しない場合には、上記平均が上位の所定数のブランチ１をバックグランド処理用ブランチに設定し、残りのブランチ１を放送受信用ブランチに設定するようにする。
【００６９】
そして、放送受信用ブランチの出力する復調信号を第１合成器３に出力し、バックグランド処理用ブランチの出力する復調信号を第２合成器４に出力するようにセレクタ２を設定する（ステップ６１２）。
【００７０】
以上、制御部１２が行う処理モード切替処理について説明した。
ここで、このような処理モード切替処理によれば、通常モードが設定されたときに、４つのブランチＢＲ１、ＢＲ２、ＢＲ３、ＢＲ４のうち、ブランチＢＲ３に対する外部機器からのノイズの影響が大きく、登録されているブランチＢＲ３の外部機器影響レベルが所定レベル以上大きい場合、図７ａに示すようにブランチＢＲ３を除く３つのブランチＢＲ１、ＢＲ２、ＢＲ４が放送受信用ブランチに設定され、外部機器からのノイズの影響が大きくないブランチＢＲ１、ＢＲ２、ＢＲ４のみを用いたダイバーシティ受信が行われ、当該ダイバーシティ受信で受信したビデオ、オーディオがユーザに対して出力される。
【００７１】
したがって、視聴する放送の周波数チャネルが外部機器からのノイズの影響が大きい周波数チャネルとされた場合に、視聴する放送の受信状態が外部機器に影響によって大きく劣化することを抑止することができる。
【００７２】
また、以上のような処理モード切替処理によれば、たとえば、２つのブランチ１をバックグランド用ブランチとして、２つのブランチ１を放送受信用ブランチとしてバックグランドモードを行うように予め定めている場合において、バックグランドモードが設定されたときに、４つのブランチＢＲ１、ＢＲ２、ＢＲ３、ＢＲ４のうち、ブランチＢＲ３に対する外部機器からのノイズの影響が大きく、登録されているブランチＢＲ３の外部機器影響レベルが所定レベル以上大きい場合、図７ｂに示すようにブランチＢＲ３が優先的にバックグランド用ブランチに設定され、残る３つのブランチＢＲ１、ＢＲ２、ＢＲ４が、バックグランド用ブランチと放送受信用ブランチに分配される。また、バックグランドモードが設定されたときに、４つのブランチＢＲ１、ＢＲ２、ＢＲ３、ＢＲ４のうち、ブランチＢＲ２に対する外部機器からのノイズの影響が大きく、登録されているブランチＢＲ２の外部機器影響レベルが所定レベル以上大きい場合、図７ｃに示すようにブランチＢＲ２が優先的にバックグランド用ブランチに設定され、残る３つのブランチＢＲ１、ＢＲ３、ＢＲ４が、バックグランド用ブランチと放送受信用ブランチに分配される。
【００７３】
したがって、バックグランドモードにおいて、ビデオ、オーディオを出力する放送、すなわち、ユーザが視聴する放送の受信には、外部機器からのノイズの影響が大きくないブランチ１のみを用いたダイバーシティ受信が行われ、当該ダイバーシティ受信で受信したビデオ、オーディオがユーザに対して出力される。
【００７４】
よって、ユーザが視聴している放送の周波数チャネルが外部機器の影響の大きい周波数チャネルとなった場合でも、バックグランド処理を行いつつ、視聴する放送の受信状態が外部機器に影響によって大きく劣化することを抑止することができ、ユーザの放送の視聴体験の快適性を向上する。
【００７５】
なお、以上の処理モード切替処理のステップ６０４では、全てのブランチ１を放送受信用ブランチに設定するようにしてもよい。
以上、本発明の実施形態について説明した。
ところで、以上の実施形態の図４に示した受信セグメントモード切替処理では、Ｖデコーダ５から通知されるＢＥＲに基づいて受信状態を算定し、受信セグメントモードをワンセグ受信モードとフルセグ受信モードとの間で切り替えたが、これは一例であり、受信状態は、受信状態の良好さを表す値であればＣＮＲ等の他の値をに基づいて算定するようにしてもよい。
【符号の説明】
【００７６】
１…ブランチ、２…セレクタ、３…第１合成器、４…第２合成器、５…ＡＶデコーダ、６…バックグランド処理部、７…出力合成部、８…表示装置、９…スピーカ、１０…入力装置、１１…メモリ、１２…制御部、１０１…アンテナ、１０２…チューナ、１０３…復調器、２００…ドライブレコーダ。
【図１】
2019161248.tif 000003
【図２】
2019161248.tif 000004
【図３】
2019161248.tif 000005
【図４】
2019161248.tif 000006
【図５】
2019161248.tif 000007
【図６】
2019161248.tif 000008
【図７】
2019161248.tif 000009